(57)【要約】【課題】暗所における始動性を向上させつつ短寿命化や光学的特性の低下を防止することができる無電極放電灯装置および照明器具を提供することにある。【解決手段】無電極放電灯装置は、ガラスにより形成され内部に放電ガスおよび水銀が封入されるとともに内側に窪んだ凹部４を有し且つ内側に蛍光体膜３が形成された気密容器１ｂと、気密容器１ｂの内部に配置される長残光蛍光体層（暗黒始動補助材）１３とを備えた無電極放電ランプ１と、気密容器１ｂの内部に高周波電磁界を発生させる誘導コイル１０と、誘導コイル１０に高周波電流を通電する点灯回路（図示せず）とを備える。そして、長残光蛍光体層１３が、凹部４の内側に配置された誘導コイル１０から凹部４の開口部側に離れた位置に配置され且つ気密容器１ｂの内部に微放電を発生させる補助コイル（補助放電発生部）１７が近傍に設けられてなる。【選択図】図１
2010009873.tif 000002
【特許請求の範囲】
【請求項１】
透光性材料により形成され内部に放電ガスおよび水銀が封入されるとともに内側に窪んだ凹部を有し且つ内側に蛍光体膜が形成された気密容器と、気密容器の内部に配置される暗黒状態での始動を補助するための暗黒始動補助材とを備えた無電極放電ランプと、気密容器の内部に高周波電磁界を発生させるための誘導コイルと、誘導コイルに高周波電流を通電する点灯回路とを備え、誘導コイルに高周波電流を通電することにより形成される高周波電磁界の作用により気密容器に封入された放電ガスを励起して発光させるものであって、暗黒始動補助材が前記凹部の内側における誘導コイルが配置される箇所から前記凹部の開口部側に離れた箇所に配置され且つ始動を補助するために気密容器の内部に放電を発生させる補助放電発生部が暗黒始動補助材の近傍に設けられてなることを特徴とする無電極放電灯装置。
【請求項２】
前記暗黒始動補助材が、長残光蛍光体から形成されてなることを特徴とする請求項１記載の無電極放電灯装置。
【請求項３】
前記暗黒始動補助材が、単体金属の中で仕事関数が比較的小さい金属を塗布した部材からなることを特徴とする請求項１記載の無電極放電灯装置。
【請求項４】
前記補助放電発生部は、一端部が前記誘導コイルに接続され且つ他端部が開放されてなる補助コイルからなることを特徴とする請求項１乃至請求項３のいずれか１項に記載の無電極放電灯装置。
【請求項５】
前記補助放電発生部は、前記誘導コイルの両端部のいずれか一方に接続された金属板からなることを特徴とする請求項１乃至請求項３のいずれか１項に記載の無電極放電灯装置。
【請求項６】
前記補助放電発生部は、前記誘導コイルのリード線の一部が前記気密容器の外周面に接してなることを特徴とする請求項１乃至請求項３のいずれか１項に記載の無電極放電灯装置。
【請求項７】
請求項１乃至請求項６のいずれか１項に記載の無電極放電灯装置を備えることを特徴とする照明器具。
【発明の詳細な説明】
【技術分野】
【０００１】
本発明は、無電極放電灯装置および照明器具に関するものである。
【背景技術】
【０００２】
従来から、図１２に示すように、ガラスで形成され内部に希ガスなどの放電ガスおよび水銀が封入されるとともに内側に窪んだ凹部４を有し且つ内側に蛍光体膜（図示せず）が形成された気密容器１ｂを備えた無電極放電ランプ１と、気密容器１ｂの内部に高周波電磁界を発生させる誘導コイル１０と、誘導コイル１０に高周波電流を通電する点灯回路（図示せず）とを備え、誘導コイル１０で発生した高周波電磁界により形成される誘導電磁界の作用により気密容器１ｂに封入された放電ガスを励起して発光させる無電極放電灯装置が提案されている（特許文献１参照）。
【０００３】
ここにおいて、図１２に示す構成の無電極放電灯装置は、点灯回路から高周波電流が誘導コイル１０に供給されると、誘導コイル１０の周囲に高周波電磁界が発生し、気密容器１ｂの内部の電子が加速され、気密容器１ｂの内部に封入された放電ガスへの電子の衝突により放電ガスが電離し放電が開始する。無電極放電ランプ１の放電中は、水銀原子が励起され、励起された原子が基底状態に戻るときに紫外線を発生する。この紫外線は、気密容器１ｂの内壁に形成された蛍光体膜により可視光に変換され、変換された可視光は、気密容器１ｂの外部に放射される。このように、無電極放電ランプ１は、気密容器１ｂの内部に電極を持たないため、電極の消耗による不点灯が発生せず、寿命が電極の寿命で制限されることがないので、一般的な蛍光ランプに比べて寿命が長いという特徴がある。
【０００４】
ところで、一般の無電極放電ランプには、一般の蛍光ランプのように放電開始に必要な電子を発生させる熱陰極等の電子発生源がなく、放電開始に必要な電子は、放電ガス等が封入された気密容器に可視光などが当たることにより発生する。つまり、無電極放電ランプでは、可視光などによって気密容器内に偶然発生した電子（以下、偶発電子と称する）によって放電が開始される。従って、可視光等が当たらない暗所では、気密容器の内部に偶発電子がほとんど存在せず、無電極放電ランプが始動するまでに時間を要する場合があった。
【０００５】
これに対して、図１２に示した構成の無電極放電灯装置では、暗所において無電極放電ランプ１が始動するまでの時間を短縮するために、例えばセシウムやナトリウムなどの仕事関数の小さい金属（仕事関数の値は、セシウムが１．９３ｅＶ、ナトリウムが２．２ｅＶ）が保持体１８に塗布されてなる暗黒始動補助材が、気密容器１ｂの内部に配置されている。ここで、保持体１８は、放電開始箇所に電子を供給することを考慮すれば、放電開始箇所の近傍、即ち、誘導コイル１０の近傍に配置されるのが望ましく、図１２に示すように、誘導コイル１０の近傍に配置されている。しかして、保持体１８に塗布された金属等から無電極放電ランプ１の始動に必要な電子が気密容器１ｂ内部の放電開始箇所に供給されるので、暗所における始動時間、つまり点灯するまでの時間を短縮することができる。
【０００６】
また、従来から、図１３に示すように、上述のセシウムやナトリウムなどの仕事関数の小さい金属を塗布した保持体１８が、気密容器１ｂの一部を構成するバルブ７と凹部４の底部との間に配置されてなり、暗所における始動時間、つまり、暗所において点灯するまでの時間を短縮することができる無電極放電灯装置が提案されている（特許文献２参照）。なお、図１３において、図１２と同様の構成要素については同一の符号を付して説明を省略する。
【０００７】
また、従来から、図１４に示すように、気密容器１ｂの内部に残光による光電効果により電子の放出を促す長残光蛍光体層１３が形成されてなる無電極放電灯装置が提案されている（特許文献３参照）。ここで、長残光蛍光体層１３は、放電開始箇所の近傍、即ち、誘導コイル１０の近傍に配置されるのが望ましい。従って、長残光蛍光体層１３は、図１４に示すように、気密容器１ｂの内壁の凹部４に対応する部分における誘導コイル１０の近傍に形成されている。しかして、長残光蛍光体層１３から無電極放電ランプ１の始動に必要な電子が気密容器１ｂ内部の放電空間に供給されるので、暗所における始動時間、つまり点灯を開始するまでの時間を短縮することができる。なお、図１４において、図１２と同様の構成要素については同一の符号を付して説明を省略する。
【特許文献１】特開２００５−１２３１５７号公報
【特許文献２】特開２００４−７９４４４号公報
【特許文献３】特開２００４−２３４９４５号公報
【発明の開示】
【発明が解決しようとする課題】
【０００８】
しかしながら、特許文献１に記載された無電極放電灯装置（図１２参照）では、保持体１８が誘導コイル１０の近傍に配置されていることにより、保持体１８に塗布された金属等が放電によりスパッタされて蛍光体膜に付着して無電極放電ランプ１の光を放射する部分が黒く変色することで、無電極放電ランプが短寿命化するおそれがあった。
【０００９】
また、保持体１８が、気密容器１ｂの凹部４の底部側に配置されているので、誘導コイル１０の近傍で発生する紫外線の一部が保持体１８によって遮られ、無電極放電ランプの点灯時に影が発生するおそれがあった。
【００１０】
一方、特許文献２に記載された無電極放電灯装置（図１３参照）のように、暗黒始動補助材を塗布した保持体１８が、誘導コイル１０から離れた位置に配置されていると、保持体１８に塗布された金属等が、放電によりスパッタされるのを防ぐことができる。しかしながら、保持体１８が、誘導コイル１０の近傍、即ち、放電開始箇所から離れた位置に配置されていることにより、放電開始箇所に電子が十分に供給されず、暗所における始動性を向上させることができないおそれがあった。
【００１１】
また、特許文献３に記載された無電極放電灯装置（図１４参照）では、長残光蛍光体層１３が形成される部位が誘導コイル１０近傍に位置するので、誘導コイル１０で発生する熱で長残光蛍光体層１３が高温になることで性能が劣化し、消灯後の残光時間が短くなる、即ち、暗所における始動性を長時間維持することができなくなるおそれがあった。
【００１２】
一方、長残光蛍光体層１３を誘導コイル１０から比較的離れた箇所、即ち、放電開始箇所から離れた箇所に形成すると、長残光蛍光体層１３が高温になるのを防止することができる。しかしながら、長残光蛍光体層１３が、誘導コイル１０の近傍、即ち、放電開始箇所から離れた位置に形成されているので、放電開始箇所に十分に電子を供給できず、暗所における始動補助性能が得られないおそれがあった。
【００１３】
また、長残光蛍光体は、発光量や発光色が一般の蛍光体とは異なる。従って、暗所における始動補助性能を確保するために、長残光蛍光体層１３を形成する領域を増やすと、無電極放電ランプ１の点灯時に色ムラが生じ、無電極放電ランプ１の光学的特性が低下するおそれがあった。
【００１４】
本願発明は、上記事由に鑑みてなされたものであり、その目的は、暗所における始動性を向上させつつ短寿命化や光学的特性の低下を防止することができる無電極放電灯装置および照明器具を提供することにある。
【課題を解決するための手段】
【００１５】
請求項１の発明は、上記目的を達成するために、透光性材料により形成され内部に放電ガスおよび水銀が封入されるとともに内側に窪んだ凹部を有し且つ内側に蛍光体膜が形成された気密容器と、気密容器の内部に配置される暗黒状態での始動を補助するための暗黒始動補助材とを備えた無電極放電ランプと、気密容器の内部に高周波電磁界を発生させるための誘導コイルと、誘導コイルに高周波電流を通電する点灯回路とを備え、誘導コイルに高周波電流を通電することにより形成される高周波電磁界の作用により気密容器に封入された放電ガスを励起して発光させるものであって、暗黒始動補助材が前記凹部の内側における誘導コイルが配置される箇所から前記凹部の開口部側に離れた箇所に配置され且つ始動を補助するために気密容器の内部に放電を発生させる補助放電発生部が暗黒始動補助材の近傍に設けられてなることを特徴とする。
【００１６】
この発明によれば、暗黒始動補助材の近傍に、始動を補助するために気密容器の内部に放電を発生させる補助放電発生部が設けられているので、暗所における始動性を向上させることができる。また、暗黒始動補助材が、前記凹部の内側における誘導コイルが配置される箇所から前記凹部の開口部側に離れた箇所に配置されているので、蛍光体膜の劣化や暗黒始動補助部材の劣化を抑制し、短寿命化や光学的特性の低下を防止することができる。
【００１７】
請求項２の発明は、請求項１の発明において、前記暗黒始動補助材が、長残光蛍光体からなることを特徴とする。
【００１８】
この発明によれば、前記暗黒始動補助材が長残光蛍光体層からなるので、暗所における始動補助性能を長時間維持することができる。また、この発明によれば、前記気密容器の内側における前記凹部の開口部に対応する部位に長残光蛍光体層が形成されてなるので、前記無電極放電ランプの点灯時の色ムラの発生を抑制し、前記無電極放電ランプの光学的特性の低下を防止することができる。
【００１９】
請求項３の発明は、請求項１の発明において、前記暗黒始動補助材が、単体金属の中で仕事関数が比較的小さい金属を塗布した部材からなることを特徴とする。
【００２０】
この発明によれば、前記暗黒始動補助材を、前記凹部の内側における誘導コイルが配置される箇所から前記凹部の開口部側に離れた箇所、即ち、前記暗黒始動補助材の一部を構成する単体金属の中で比較的仕事関数の小さい金属が放電によりスパッタされる可能性が低い箇所に配置するので、当該金属が放電によりスパッタされて前記蛍光体膜に付着することにより、前記無電極放電ランプの光を放射する部分が黒く変色するのを抑制することができるので、前記無電極放電ランプの短寿命化を防止できる。また、この発明によれば、単体金属の中で比較的仕事関数の小さい金属が塗布された保持体が、前記凹部の内側における誘導コイルが配置される箇所から前記凹部の開口部側に離れた箇所に配置されるので、前記誘導コイルの近傍から放射される紫外線の一部が保持体により遮られることがなく、前記無電極放電ランプの点灯時に影が発生するのを防止することができる。
【００２１】
請求項４の発明は、請求項１乃至請求項３の発明において、前記補助放電発生部が、一端部が前記誘導コイルに接続され且つ他端部が開放されてなる補助コイルからなることを特徴とする。
【００２２】
この発明によれば、前記補助放電発生部は、前記気密容器の外部に配設された補助コイルからなることにより、補助コイルが前記気密容器内で発生した放電プラズマに晒されてダメージを受けることがなく、更に、前記気密容器の外部で補助コイルを交換することが可能となり、前記無電極放電ランプの寿命が補助コイルの寿命で制限されることがないので、前記無電極放電ランプの短寿命化を防止することができる。
【００２３】
請求項５の発明は、請求項１乃至請求項３の発明において、前記補助放電発生部が、前記誘導コイルの両端部のいずれか一方に接続された金属板からなることを特徴とする。
【００２４】
この発明によれば、前記補助放電発生部は、前記気密容器の外部に配設された金属板からなることにより、金属板が前記気密容器内で発生した放電プラズマに晒されてダメージを受けることがなく、更に、前記気密容器の外部で金属板を交換することが可能となり、前記無電極放電ランプの寿命が金属板の寿命で制限されることがないので、前記無電極放電ランプの短寿命化を防止することができる。
【００２５】
請求項６の発明は、請求項１乃至請求項３の発明において、前記補助放電発生部が、前記誘導コイルのリード線の一部が前記気密容器の外周面に接してなることを特徴とする。
【００２６】
この発明によれば、前記補助放電発生部は、前記誘導コイルのリード線の一部を前記気密容器の外周面に接するように折り曲げるという簡便な方法により形成されることにより、前記補助放電発生部を設けるための別部材が不要となるので、部品点数の削減を図ることができる。
【００２７】
請求項７の発明は、請求項１乃至請求項６のいずれか１項に記載の無電極放電灯装置を備えることを特徴とする。
【００２８】
この発明によれば、請求項１乃至請求項６のいずれか１項に記載の無電極放電灯装置を備えることにより、暗所における始動性を向上させつつ短寿命化や光学的特性の低下を防止できる。
【発明の効果】
【００２９】
請求項１の発明によれば、暗黒始動補助材を前記凹部の内側における誘導コイルが配置される箇所から前記凹部の開口部側に離れた箇所に配置するとともに、補助放電発生部が暗黒始動補助材の近傍に設けられてなるので、暗所における始動性を向上させつつ短寿命化や光学的特性の低下を防止できる。
【００３０】
請求項７の発明によれば、請求項１乃至請求項６いずれか１項に記載の無電極放電灯装置を備えるので、暗所における始動性を向上させつつ短寿命化や光学的特性の低下を防止できる。
【発明を実施するための最良の形態】
【００３１】
（実施形態１）
以下、本実施形態の無電極放電灯装置について図１乃至図３に基づいて説明する。
【００３２】
本実施形態の無電極放電灯装置は、図１に示すように、ガラスなどの透光性材料により形成され内部に放電ガスおよび水銀が封入されるとともに内側に窪んだ凹部４を有し且つ内側に蛍光体膜３（図２参照）が形成された気密容器１ｂとを備えた無電極放電ランプ１と、気密容器１ｂの内部に誘導電磁界を発生する誘導コイル１０と、誘導コイル１０に高周波電流を通電する点灯回路４０（図３参照）とを備える。ここで、誘導コイル１０は、カプラ８の一部を構成するボビン１５の一部に巻回された形で気密容器１ｂの凹部４の内側に配設される。また、気密容器１ｂには、気密容器１ｂをカプラ８に固定するための口金１２が装着されている。
【００３３】
気密容器１ｂは、凹部４を有する電球形状の外管バルブ７と、一端部が封止され凹部４の底に溶着された他端部において内部空間が気密容器１ｂ内部の放電空間に連通している排気管５とから形成されている。
【００３４】
外管バルブ７の凹部４は、ガラスなどの透光性材料で形成され一端側を閉塞して底部が形成され且つ他端側が開口している円筒状の内管４ａを、外管バルブ７の突出部７ａの先端部に形成された開口部から外管バルブ７内部に挿入し、外管バルブ７の開口部の周縁と内管４ａの開口部の周縁とを溶着することにより形成される。また、外管バルブ７の突出部７ａには、周方向の全体に亘って内側に窪んだ係合凹部７ｂが形成されており、後述の口金１２に形成された係合凸部１２ａと係合する。
【００３５】
排気管５は、製造時に外管バルブ７内を排気するために用いられる。排気管５によって外管バルブ７内を排気した後、アマルガムを収納した金属容器６とガラス製のロッド６１とが収められた状態で排気管５の上記一端部を封止することにより気密容器１ｂが形成される。また、排気管５の側壁には突部６２が形成されており、突部６２とロッド６１との間に金属容器６が保持される。なお、金属容器６の内部には、ビスマス、インジウムおよび水銀からなる化合物で形成されたアマルガムが収納されている。
【００３６】
また、気密容器１ｂの内部の放電空間には、アルゴンガスなどの希ガスからなる放電ガスが封入されている。
【００３７】
蛍光体膜３は、図２に示すように、外管バルブ７の内面および内管４ａの外周面に形成されている。ここで、蛍光体膜３は、外管バルブ７の内面および内管４ａの外周面に形成された保護膜２上に積層する形で形成されている。なお、保護膜２は、Ａｌ２Ｏ３やＳｉＯ２等の金属酸化物で形成されている。
【００３８】
口金１２には、開口形状が略円形状の貫通穴１２ｂが形成されており、内周面に内側へ突出した係合凸部１２ａが形成されている。当該貫通穴１２ｂの一端側の開口部から気密容器１ｂの一部を構成する外管バルブ７の突出部７ａが挿入され、当該突出部７ａの周方向全体に亘って形成された係合凹部７ｂと口金１２に形成された係合凸部１２ａとが係合することにより、気密容器１ｂに口金１２が装着される。
【００３９】
誘導コイル１０は、気密容器１ｂの凹部４の内側に配設される。また、誘導コイル１０の両端部は、図２に示すように、２本のリード線１６に接続されている。なお、２本のリード線１６それぞれは、管灯線３１（図１１参照）を介して点灯回路４０に接続されている。
【００４０】
カプラ８は、誘導コイル１０と、誘導コイル１０が一部に巻回されるボビン１５と、ボビン１５において誘導コイル１０が巻回される部位の内側に配設されるフェライトコア９と、ボビン１５の内側に一部が配設され凹部４の内側で発生した熱を凹部４の外側に放熱する放熱体１１とを備える。
【００４１】
ボビン１５は、樹脂等の材料により形成され、誘導コイル１０が外周面に巻回され内側にフェライトコア９が収納される誘導コイル巻回部１５ａと、後述の放熱体１１の突台部１１ｂが内側に配設される放熱体収納部１５ｂとを備える。
【００４２】
フェライトコア９は、円筒状に形成されており、ボビン１５の誘導コイル巻回部１５ａの内側に３つ収納されている。なお、フェライトコア９は、例えば、亜鉛、マンガン、ニッケル、鉄等の金属化合物である磁性材料で形成されている。
【００４３】
放熱体１１は、アルミニウム等の金属材料で形成されるとともに、基台部１１ａと基台部１１ａより突出しボビン１５の内側に配設される突台部１１ｂとを備え、内側に排気管５を挿通するための挿通穴１１ｃが貫設されている。また、突台部１１ｂは、上述のボビン１５の内側に配設される。また、基台部１１ａにおいて突台部１１ｂが突出する側には、上述の口金１２が嵌合する。しかして、無電極放電ランプ１がカプラ８に固定される。
【００４４】
上述の無電極放電灯装置では、始動時に点灯回路４０から高周波電流が供給されると、気密容器１ｂの内部における誘導コイル１０の近傍で微放電（静電結合放電）が開始する。そして、高周波電流が大きくなると誘導コイル１０の近傍に発生する磁界が強くなることで誘導放電（誘導結合放電）が開始され無電極放電ランプ１が点灯する。従って、誘導コイル１０の近傍に上記偶発電子が存在しなければ、微放電が開始せず、始動遅れとなる可能性がある。また、無電極放電ランプ１の点灯中は、気密容器１ｂ内に放電プラズマが発生している。
【００４５】
ところで、本実施形態の無電極放電灯装置では、気密容器１ｂの内部に長残光蛍光体層１３が形成されている。
【００４６】
長残光蛍光体層１３は、例えば、ユーロピウム、ディスプロシウム共付活アルミン酸ストロンチウム蛍光体（ＳｒＡｌ２Ｏ４：Ｅｕ，ＤｙまたはＳｒ４Ａｌ１４Ｏ２５：Ｅｕ，Ｄｙ）、または、ユーロピウム、ネオジウム共付活アルミン酸カルシウム蛍光体（ＣａＡｌ２Ｏ４：Ｅｕ，Ｎｄ）などの長残光蛍光体で形成されている。なお、使用する長残光蛍光体としては、これらに限定されるものではない。
【００４７】
長残光蛍光体層１３を形成する長残光蛍光体は、残光時間が非常に長いという特徴がある。例えば、励起光が遮断されてから発光強度が１／１０に減衰するまでの時間は、一般の蛍光体が数十ミリ秒であるのに対して、長残光蛍光体は数十分と非常に長い。また、長残光蛍光体は、特に近紫外線（波長が３００ｎｍ〜３８０ｎｍの光）で励起されて発光する。本実施形態の無電極放電ランプ１の放電による発光には、上記近紫外線が含まれているので、上述の長残光蛍光体層１３を励起することができる。従って、本実施形態の無電極放電灯装置では、消灯後において、長残光蛍光体層１３が非常に長時間、残光を維持することができるので、残光により暗黒状態での始動遅れを改善することができる。
【００４８】
ところで、長残光蛍光体は、温度が低いほど残光が長く維持されるという性質を有する。従って、長残光蛍光体層１３の残光をできるだけ長く維持するためには、長残光蛍光体層１３を高温になる誘導コイル１０の近傍からできるだけ離して配置するのが望ましい。一方、無電極放電ランプ１では、誘導コイル１０の近傍に存在している電子が放電を開始するための種となる。従って、誘導コイル１０の近傍になるべく多くの電子を供給して始動性を改善するためには、長残光蛍光体層１３を誘導コイル１０のなるべく近傍に形成するのが望ましい。
【００４９】
これに対して、本実施形態では、図２に示すように、長残光蛍光体層１３が凹部４の内側における誘導コイル１０が配置される箇所から凹部４の開口部側に離れた箇所に形成されている。しかして、長残光蛍光体層１３は、高温になる誘導コイル１０の近傍から離れた箇所に形成されているので、長時間に亘って残光を維持できる。即ち、暗所における始動補助性能を長時間維持することができる。
【００５０】
更に、本実施形態では、図２に示すように、長残光蛍光体層１３の近傍に、誘導コイル１０とは別に、始動を補助するために気密容器１ｂの内部に放電を発生させる補助放電発生部である補助コイル１７が設けられている。ここで、補助コイル１７は、一端部が誘導コイル１０に接続され他端部が開放されている。つまり、図３に示すように、誘導コイル１０は、両端部から引き出されたリード線１６が点灯回路４０に接続され、補助コイル１７の一端部がリード線１６に接続されている。しかして、長残光蛍光体層１３が設けられた補助コイル１７の近傍で微放電が開始しやすくなっていることにより、暗所における始動性を向上させることができる。
【００５１】
また、長残光蛍光体は、蛍光体膜３を形成する蛍光体に比べて一般的に発光効率が低く、長残光蛍光体層１３が形成された部位の光束量が低下する。また、長残光蛍光体の発光色は、上記蛍光体の発光色と異なるため、気密容器１ｂにおいて、長残光蛍光体層１３が形成された箇所と蛍光体膜３が形成された箇所とで発光色が異なり点灯時に色ムラを生じることがあった。
【００５２】
これに対して、本実施形態では、図２に示すように、長残光蛍光体層１３が凹部４の内側における誘導コイル１０が配置される箇所から凹部４の開口部側に離れた箇所に形成されてなるので、無電極放電ランプ１の点灯時に色ムラが生じることがなく、無電極放電ランプ１の光学的特性の低下を防止することができる。
【００５３】
また、補助コイル１７は、図２に示すように、気密容器１ｂの外部に配設されるカプラ８の一部を構成するボビン１５に巻回されているので、補助コイル１７が気密容器１ｂ内で発生した放電プラズマに晒されてダメージを受けることがないので、無電極放電ランプ１の短寿命化を防止することができる。
【００５４】
更に、カプラ８を気密容器１ｂの凹部４から取り外すことで、気密容器１ｂの外部で補助コイル１７を交換することができるので、無電極放電ランプ１の寿命が補助コイル１７の寿命で制限されることがなく、無電極放電ランプ１の短寿命化を防止することができる。
【００５５】
（実施形態２）
本実施形態の無電極放電灯装置の基本構成は、実施形態１と略同じであり、実施形態１で説明した長残光蛍光体層１３を設けずに、図４，５に示すように、単体金属の中で仕事関数が比較的小さい金属を塗布した部材からなる保持体１８を気密容器１ｂの内部に配設してなる点が相違する。ここで、保持体１８は、金属金網からなる。なお、実施形態１と同様の構成要素については同一の符号を付して説明を省略する。ここで、保持体１８に塗布する単体金属としては、単体金属の中で最も仕事関数が小さいセシウムを塗布することが望ましく、本実施形態では、セシウムが保持体１８に塗布されている。なお、保持体１８に塗布する単体金属としては、これに限定されず、例えば、ナトリウムでもよい。
【００５６】
保持体１８は、一端部にフック２８ｂが形成されたＪ字状の支持線２８ａの他端部に取り付けられている。支持線２８ａは、フック２８ｂが形成された一端部が排気管５内に挿入されるとともに、保持体１８が固着された他端部が気密容器１ｂ内の放電空間に導出された形で配置される。また、排気管５の側壁には支持線２８ａを排気管５内に係止するための係止用突部６３が形成されており、支持線２８ａのフック２８ｂが、係止用突部６３に係止されることで、支持線２８ａが排気管５から抜けないように固定されている。
【００５７】
また、保持体１８は、凹部４の内側における誘導コイル１０が配置される箇所から凹部４の開口部側に離れた箇所、即ち、保持体１８に塗布されたセシウムが放電によりスパッタされる可能性が低い箇所に配置されている。しかして、保持体１８に塗布されたセシウムが、放電によりスパッタされ、蛍光体膜３に付着して無電極放電ランプの光を放射する部分が黒く変色するのを抑制することができるので、無電極放電ランプ１の短寿命化を防止することができる。
【００５８】
上述の補助コイル１７は、保持体１８の近傍に配置されていることにより、補助コイル１７の近傍で微放電が開始しやすくなっている。しかして、無電極放電ランプ１の暗所における始動性を向上させることができる。
【００５９】
ところで、保持体１８は、凹部４の内側に配置された誘導コイル１０から凹部４の開口部側に離れた箇所に配置される。しかして、気密容器１ｂの内部で発生した紫外線の一部が保持体１８により遮られることがなく、無電極放電ランプ１の点灯中に影が発生するのを防止することができる。
【００６０】
また、補助コイル１７は、図２に示すように、気密容器１ｂの外部に配設されるカプラ８の一部を構成するボビン１５に巻回されているので、補助コイル１７が気密容器１ｂ内で発生した放電プラズマに晒されてダメージを受けることがないので、無電極放電ランプ１の短寿命化を防止することができる。
【００６１】
更に、カプラ８を気密容器１ｂの凹部４から取り外すことで、気密容器１ｂの外部で補助コイル１７を交換することができるので、無電極放電ランプ１の寿命が補助コイル１７の寿命で制限されることがなく、無電極放電ランプ１の短寿命化を防止することができる。
【００６２】
（実施形態３）
本実施形態の無電極放電灯装置の基本構成は、実施形態１と略同じであり、補助放電発生部として、実施形態１で説明した補助コイル１７の代わりに、図６に示すように、誘導コイル１０に接続された金属板１９が設けられてなる点が相違する。なお、実施形態１と同様の構成要素については同一の符号を付して説明を省略する。
【００６３】
上述の長残光蛍光体層１３は、実施形態１と同様に、凹部４の内側における誘導コイル１０が配置される箇所から凹部４の開口部側に離れた箇所、即ち、放電により高温になる箇所から離れた位置に形成されている。従って、暗所における始動補助性能を長時間維持することができる。
【００６４】
金属板１９は、一端部が誘導コイル１０の２本のリード線１６のいずれか一方に接続され他端部が他方のリード線１６の近傍まで延長されている。つまり、図７に示すように、誘導コイル１０は、両端部が２本のリード線１６を介して点灯回路４０に接続され、一端部が一方のリード線１６に接続された金属板１９の他端部が、他方のリード線１６の近傍まで延長されている。従って、始動時に、金属板１９の上記他端部と他方のリード線１６との間に強い電界が発生し、当該金属板１９の上記他端部の近傍で微放電を発生させることができる。また、金属板１９の上記他端部は、長残光蛍光体層１３の近傍に配置される。しかして、無電極放電ランプ１の暗所における始動性を向上させることができる。
【００６５】
また、金属板１９は、気密容器１ｂの外部に配設されているので、金属板１９が気密容器１ｂ内で発生した放電プラズマに晒されてダメージを受けることがない。
【００６６】
更に、カプラ８を気密容器１ｂの凹部４から取り外すことで、気密容器１ｂの外部で金属板１９を交換することができるので、無電極放電ランプ１の寿命が金属板１９の寿命で制限されることがなく、無電極放電ランプ１の短寿命化を防止することができる。
【００６７】
（実施形態４）
本実施形態の無電極放電灯装置の基本構成は、実施形態２と略同じであり、補助放電発生部として、実施形態２で説明した補助コイル１７の代わりに、図８に示すように、誘導コイル１０に接続された金属板１９が設けられてなる点が相違する。なお、実施形態２と同様の構成要素については同一の符号を付して説明を省略する。
【００６８】
上述の保持体１８は、実施形態２と同様に、凹部４の内側における誘導コイル１０が配置される箇所から凹部４の開口部側に離れた箇所、即ち、保持体１８に塗布されたセシウムが放電によりスパッタされる可能性が低い箇所に配置されている。従って、保持体１８に塗布されたセシウムが、放電によりスパッタされて蛍光体膜３に付着して無電極放電ランプ１の光を放射する部分が黒く変色することを抑制できるので、無電極放電ランプ１の短寿命化を防止できる。
【００６９】
金属板１９は、実施形態３と同様に、一端部が誘導コイル１０の２本のリード線１６のいずれか一方に接続され他端部が他方のリード線１６の近傍まで延長されている。従って、始動時に、金属板１９の上記他端部と他方のリード線１６との間に強い電界が発生し、金属板１９の上記他端部の近傍で微放電を発生させることができる。また、金属板１９の上記他端部は、保持体１８の近傍に配置される。しかして、無電極放電ランプ１の暗所における始動性を向上させることができる。
【００７０】
また、金属板１９は、気密容器１ｂの外部に配設されているので、金属板１９が気密容器１ｂ内で発生した放電プラズマに晒されてダメージを受けることがない。
【００７１】
更に、カプラ８を気密容器１ｂの凹部４から取り外すことで、気密容器１ｂの外部で金属板１９を交換することができるので、無電極放電ランプ１の寿命が金属板１９の寿命で制限されることがなく、無電極放電ランプ１の短寿命化を防止することができる。
【００７２】
（実施形態５）
本実施形態の無電極放電灯装置の基本構成は、実施形態１と略同じであり、補助放電発生部として、実施形態１で説明した補助コイル１７を設けずに、図９に示すように、誘導コイル１０のリード線１６の一部を気密容器１ｂの外周面に接するように折り曲げられてなる折曲部２０を設けた点が相違する。なお、実施形態１と同様の構成要素については同一の符号を付して説明を省略する。
【００７３】
上述の長残光蛍光体層１３は、実施形態１と同様に、凹部４の内側における誘導コイル１０が配置される箇所から凹部４の開口部側に離れた箇所、即ち、放電により高温になる箇所から離れた位置に形成されている。従って、暗所における始動補助性能を長時間維持することができる。
【００７４】
また、長残光蛍光体層１３の近傍に位置するリード線１６の一部には、気密容器１ｂに接するように折り曲げてなる折曲部２０が形成されていることにより、始動時において、折曲部２０において微放電が発生しやすくなっている。しかして、無電極放電ランプ１の暗所における始動性を向上させることができる。
【００７５】
また、補助放電発生部は、誘導コイル１０のリード線１６の一部を気密容器１ｂに接するように折り曲げるという簡便な方法で形成することにより、補助放電発生部を設けるための別部材が不要となるので、部品点数の増加を防ぎ、製造コストの上昇を防ぐことができる。
【００７６】
（実施形態６）
本実施形態の無電極放電灯装置の基本構成は、実施形態２と略同じであり、補助放電発生部として、実施形態２で説明した補助コイル１７を設けずに、図１０に示すように、誘導コイル１０のリード線１６の一部を気密容器１ｂの外周面に接するように折り曲げられてなる折曲部２０を設けた点が相違する。なお、実施形態２と同様の構成要素については同一の符号を付して説明を省略する。
【００７７】
上述の保持体１８は、実施形態２と同様に、凹部４の内側における誘導コイル１０が配置される箇所から凹部４の開口部側に離れた箇所、即ち、保持体１８に塗布されたセシウムが放電によりスパッタされる可能性が低い箇所に配置されている。従って、保持体１８に塗布されたセシウムが、放電によりスパッタされ、蛍光体膜３に付着して無電極放電ランプ１の光を放射する部分が黒く変色することを抑制できるので、無電極放電ランプ１の短寿命化を防止できる。
【００７８】
また、保持体１８の近傍に位置するリード線１６の一部には、気密容器１ｂに接するように折り曲げてなる折曲部２０が形成されていることにより、始動時において、折曲部２０において微放電が発生しやすくなっている。しかして、無電極放電ランプ１の暗所における始動性を向上させることができる。
【００７９】
更に、補助放電発生部は、誘導コイル１０のリード線１６の一部を気密容器１ｂに接するように折り曲げるという簡便な方法で形成することにより、補助放電発生部を設けるための別部材が不要となるので、部品点数の増加を防ぎ、製造コストの上昇を防ぐことができる。
【００８０】
（実施形態７）
図１１に実施形態１で説明した無電極放電灯装置を備えた照明器具を示す。
【００８１】
本実施形態の照明器具は、椀状の反射板３０ａとガラス等の透光性材料で形成された前面パネル３０ｂとで構成された筐体３０と、筐体３０の内部に配置された無電極放電ランプ１と、筐体３０とは別の場所に配置されカプラ８（図１参照）に高周波電流を供給することで無電極放電ランプ１を点灯させる点灯回路４０（図３参照）を含む点灯装置３２とを備え、点灯装置３２内の点灯回路４０とカプラ８とが管灯線３１を介して電気的に接続されてなるものである。また、点灯装置３２に電源線３３を介して電源プラグ３４が接続されている。電源プラグ３４を商用電源（図示せず）に接続することで、商用電源から点灯装置３２に電力が供給される。なお、無電極放電ランプ１から出射される光は前面パネル３０ｂを透過して外部に放射される。
【００８２】
本実施形態の照明器具は、実施形態１で説明した無電極放電灯装置を備えるので、暗所における始動性を向上させつつ短寿命化や光学的特性の低下を防止できる。
【００８３】
なお、本実施形態では、実施形態１の無電極放電灯装置を備える例について説明したが、実施形態２乃至実施形態６で説明した無電極放電灯装置を備えたものであってもよい。
【図面の簡単な説明】
【００８４】
【図１】実施形態１の無電極放電灯装置の要部概略断面図である。
【図２】同上の無電極放電灯装置の要部概略断面図である。
【図３】同上の無電極放電灯装置の概略回路図である。
【図４】実施形態２の無電極放電灯装置の要部概略断面図である。
【図５】同上の無電極放電灯装置の要部概略断面図である。
【図６】実施形態３の無電極放電灯装置の要部概略断面図である。
【図７】同上の無電極放電灯装置の概略回路図である。
【図８】実施形態４の無電極放電灯装置の要部概略断面図である。
【図９】実施形態５の無電極放電灯装置の要部概略断面図である。
【図１０】実施形態６の無電極放電灯装置の要部概略断面図である。
【図１１】実施形態７の照明器具の概略斜視図である。
【図１２】従来例の概略断面図である。
【図１３】他の従来例の概略断面図である。
【図１４】他の従来例の概略断面図である。
【符号の説明】
【００８５】
１  無電極放電ランプ
１ｂ  気密容器
３  蛍光体膜
４  凹部
５  排気管
１０  誘導コイル
１３  長残光蛍光体層（暗黒始動補助材）
１７  補助コイル（補助放電発生部）
【図１】
2010009873.tif 000003
【図２】
2010009873.tif 000004
【図３】
2010009873.tif 000005
【図４】
2010009873.tif 000006
【図５】
2010009873.tif 000007
【図６】
2010009873.tif 000008
【図７】
2010009873.tif 000009
【図８】
2010009873.tif 000010
【図９】
2010009873.tif 000011
【図１０】
2010009873.tif 000012
【図１１】
2010009873.tif 000013
【図１２】
2010009873.tif 000014
【図１３】
2010009873.tif 000015
【図１４】
2010009873.tif 000016